(57)【特許請求の範囲】
【請求項１】
サーバが、コンテンツの提供者が使用する提供者端末から、所定の計算の実行に応じて報酬を分配するサービスの利用登録を受け付けると、前記所定の計算を端末に実行させるためのスクリプトを生成するスクリプト生成ステップと、
前記提供者端末が、前記コンテンツと、前記スクリプトとを含むページを生成するページ生成ステップと、
前記端末が、前記ページを取得するコンテンツ取得ステップと、
前記端末が前記ページに含まれる前記スクリプトに基づいて、前記コンテンツの提供者を識別する識別情報を含む、計算対象となる計算データの取得要求を前記サーバに送信する要求ステップと、
前記サーバが、前記取得要求を受信すると、当該取得要求に含まれる前記識別情報に前記提供者が予め関連付けた計算データの種別を特定し、当該種別の計算データを前記端末に送信する計算依頼ステップと、
前記端末が、前記サーバから前記計算データを取得するデータ取得ステップと、
前記端末が取得した前記計算データに基づいて前記所定の計算を実行する計算実行ステップと、
前記端末が、前記所定の計算の計算結果を示す計算結果データを前記サーバに送信する結果送信ステップと、
前記サーバが、前記計算結果データに対応する報酬を前記コンテンツの提供者に分配する分配ステップと、
を備える報酬分配方法。
【請求項２】
前記データ取得ステップにおいて、前記端末は、前記端末の処理能力に対応する前記計算データを取得する、
請求項１に記載の報酬分配方法。
【請求項３】
前記端末が前記スクリプトに基づいて、前記計算データの取得要求を前記サーバに送信する要求ステップと、
前記サーバが、前記取得要求を受信すると、前記端末に前記処理能力を特定するための処理を実行させることにより前記処理能力を特定し、当該処理能力に対応する前記計算データを前記端末に送信する計算依頼ステップとを更に備える、
請求項２に記載の報酬分配方法。
【請求項４】
前記データ取得ステップにおいて、前記端末は、前記端末の利用者が前記端末における前記所定の計算の実行を許可したことに応じて、前記計算データを取得する、
請求項１から３のいずれか１項に記載の報酬分配方法。
【請求項５】
前記分配ステップにおいて、前記サーバは、前記報酬を前記コンテンツの提供者及び前記端末の利用者に分配する、
請求項１から４のいずれか１項に記載の報酬分配方法。
【請求項６】
前記分配ステップにおいて、前記サーバは、前記端末から受信した前記計算結果データの量が所定量を超えたことに応じて、前記報酬を前記コンテンツの提供者及び前記端末の利用者に分配する、
請求項５に記載の報酬分配方法。
【請求項７】
コンテンツを閲覧するユーザが使用する端末と、前記コンテンツの提供者が使用する提供者端末と、サーバとを備える報酬分配システムであって、
前記サーバは、
前記提供者端末から、所定の計算の実行に応じて報酬を分配するサービスの利用登録を受け付けると、前記所定の計算を端末に実行させるためのスクリプトを生成する登録部と、
計算対象となる計算データの取得要求を受信すると、当該取得要求に含まれる前記コンテンツの提供者を識別する識別情報に前記提供者が予め関連付けた計算データの種別を特定し、当該種別の計算データを前記端末に送信するデータ送受信部と、を有し、
前記提供者端末は、前記コンテンツと、前記スクリプトとを含むページを生成する生成部を有し、
前記端末は、
コンテンツと、前記ページを取得する取得部と、
前記ページに含まれる前記スクリプトに基づいて、前記識別情報を含む、前記計算データの取得要求を前記サーバに送信し、前記サーバから前記計算データを取得し、取得した前記計算データに基づいて前記所定の計算を実行し、前記所定の計算の計算結果を示す計算結果データを前記サーバに送信する実行部とを有し、
前記サーバは、前記計算結果データに対応する報酬を前記コンテンツの提供者に分配する分配部を更に有する、
報酬分配システム。
【発明の詳細な説明】
【技術分野】
【０００１】
本発明は、報酬分配方法、報酬分配システム及び端末に関する。
【背景技術】
【０００２】
コンテンツを提供するページに広告を掲載しておき、コンテンツの閲覧者が当該広告を閲覧したことに応じて、コンテンツの提供者に報酬を支払うアフェリエイト広告が知られている（例えば、特許文献１参照）。
【先行技術文献】
【特許文献】
【０００３】
【特許文献１】特開２００９−３２２６９号公報
【発明の概要】
【発明が解決しようとする課題】
【０００４】
しかしながら、コンテンツを提供するページに広告を掲載する場合、コンテンツの提供者には一定の報酬を得ることができるという利点があるものの、コンテンツと関係のない広告が表示されたり、コンテンツの提供者が好まない広告が表示されたりして、コンテンツのユーザ体験に悪影響を与えてしまうという問題があった。
【０００５】
そこで、本発明はこれらの点に鑑みてなされたものであり、コンテンツのユーザ体験を悪化させることなくコンテンツの提供者が報酬を得ることができる報酬分配方法、報酬分配システム及び端末を提供することを目的とする。
【課題を解決するための手段】
【０００６】
本発明の第１の態様に係る報酬分配方法は、端末が、コンテンツと、所定の計算を前記端末に実行させるためのスクリプトとを取得するコンテンツ取得ステップと、前記端末が前記スクリプトに基づいて、前記所定の計算を実行する計算実行ステップと、前記端末が、前記所定の計算の計算結果を示す計算結果データをサーバに送信する結果送信ステップと、前記サーバが、前記計算結果データに対応する報酬を前記コンテンツの提供者に分配する分配ステップと、を備える。
【０００７】
前記報酬分配方法は、前記端末が前記スクリプトに基づいて、計算対象となる計算データを取得するデータ取得ステップとを更に備え、前記計算実行ステップにおいて、前記端末は、取得した前記計算データに基づいて前記所定の計算を実行してもよい。
前記データ取得ステップにおいて、前記端末は、前記端末の処理能力に対応する前記計算データを取得してもよい。
【０００８】
前記報酬分配方法は、前記端末が前記スクリプトに基づいて、前記計算データの取得要求を前記サーバに送信する要求ステップと、前記サーバが、前記取得要求を受信すると、前記端末に前記処理能力を特定するための処理を実行させることにより前記処理能力を特定し、当該処理能力に対応する前記計算データを前記端末に送信する計算依頼ステップとを更に備えてもよい。
【０００９】
前記報酬分配方法は、前記端末が前記スクリプトに基づいて、前記コンテンツの提供者を識別する識別情報を含む、前記計算データの取得要求を前記サーバに送信する要求ステップと、前記サーバが、前記取得要求を受信すると、当該取得要求に含まれる前記識別情報に前記提供者が予め関連付けた計算データの種別を特定し、当該種別の計算データを前記端末に送信する計算依頼ステップとを更に備えてもよい。
前記データ取得ステップにおいて、前記端末は、前記端末の利用者が前記端末における前記所定の計算の実行を許可したことに応じて、前記計算データを取得してもよい。
【００１０】
前記分配ステップにおいて、前記サーバは、前記報酬を前記コンテンツの提供者及び前記端末の利用者に分配してもよい。
前記分配ステップにおいて、前記サーバは、前記端末から受信した前記計算結果データの量が所定量を超えたことに応じて、前記報酬を前記コンテンツの提供者及び前記端末の利用者に分配してもよい。
【００１１】
本発明の第２の態様に係る報酬分配システムは、端末と、サーバとを備える報酬分配システムであって、前記端末は、コンテンツと、所定の計算を前記端末に実行させるためのスクリプトとを取得する取得部と、前記スクリプトに基づいて、前記所定の計算を実行し、前記所定の計算の計算結果を示す計算結果データを前記サーバに送信する実行部とを有し、前記サーバは、前記計算結果データに対応する報酬を前記コンテンツの提供者に分配する分配部を有する。
【００１２】
本発明の第３の態様に係る端末は、コンテンツと、計算結果に応じて前記コンテンツの提供者に報酬が付与される所定の計算を実行させるためのスクリプトとを取得する取得部と、前記スクリプトに基づいて、前記所定の計算を実行し、前記所定の計算の計算結果を示す計算結果データを、前記コンテンツの提供者に報酬を付与するサーバに送信する実行部と、を備える。
【発明の効果】
【００１３】
本発明によれば、コンテンツのユーザ体験を悪化させることなくコンテンツの提供者が報酬を得ることができるという効果を奏する。
【図面の簡単な説明】
【００１４】
【図１】報酬分配システムの概要を示す図である。
【図２】管理サーバ、コンテンツサーバ、及び閲覧者端末の構成を示す図である。
【図３】コンテンツサーバがコンテンツページを登録するまでの処理の流れを示すシーケンス図である。
【図４】閲覧者端末がコンテンツページの取得要求を行ってから、管理サーバが所定の計算に係る報酬を分配するまでの処理の流れを示すシーケンス図である。
【発明を実施するための形態】
【００１５】
［報酬分配システムＳの概要］
図１は、本実施形態に係る報酬分配システムＳの概要を示す図である。報酬分配システムＳは、管理サーバ１と、依頼者端末２と、提供者端末３と、コンテンツサーバ４と、閲覧者端末５とを備えている。報酬分配システムＳは、閲覧者端末５がコンテンツサーバ４からコンテンツを含むコンテンツページを取得してコンテンツを閲覧する場合にバッググラウンドで所定の計算を実行し、管理サーバ１が、閲覧者端末５における計算量に応じて当該コンテンツの提供者に報酬を分配するサービスを提供するシステムである。ここで、コンテンツページは、例えばブラウザプログラムが読み込み可能なウェブページである。また、図１では、依頼者端末２が１台のみ示されているが、依頼者端末２は、複数の依頼者に対応して複数存在するものとする。
【００１６】
図１に示すように、報酬分配システムＳにおいて、管理サーバ１は、依頼者端末２から所定の計算の依頼を受け付ける。所定の計算は、例えば、各種科学技術計算や、ビットコイン（登録商標）のマイニングに係る計算である。
【００１７】
コンテンツの提供者が、提供者端末３を介して管理サーバ１にアクセスし、サービスの利用登録を行うと、管理サーバ１は、所定の計算を実行するためのスクリプトを生成する。ここで、スクリプトは、例えばＪａｖａＳｃｒｉｐｔ（登録商標）や、Ｗｅｂ  Ａｓｓｅｍｂｌｙで記述されたプログラムである。コンテンツの提供者は、生成されたスクリプトを含むコンテンツページをコンテンツサーバ４に登録する。閲覧者端末５は、コンテンツの閲覧者の操作に応じて、コンテンツサーバ４からコンテンツページを取得し、表示部に表示させる。閲覧者端末５は、コンテンツページに含まれているスクリプトを実行すると、計算対象となる計算データを管理サーバ１から取得する。閲覧者端末５は、取得した計算データに基づいて所定の計算を実行し、計算結果データを管理サーバ１に送信する。
【００１８】
管理サーバ１は、閲覧者端末５から受信した計算結果データを依頼者端末２に送信し、依頼者から報酬を示す報酬情報を受信する。管理サーバ１は、計算結果データに対応する報酬を、コンテンツの提供者に分配する。
【００１９】
このように、本実施形態に係る報酬分配システムＳでは、アフェリエイト広告のように、ページ上に広告を表示させないので、コンテンツの提供者は、コンテンツを含むページのユーザ体験を悪化させることなく報酬を得ることができる。
【００２０】
続いて、報酬分配システムＳの構成について説明する。図２は、本実施形態に係る管理サーバ１、コンテンツサーバ４、及び閲覧者端末５の構成を示す図である。なお、以下の説明では、所定の計算の依頼者（依頼者端末２のユーザ）を単に依頼者、コンテンツの提供者（提供者端末３のユーザ）を単に提供者、コンテンツの閲覧者（閲覧者端末５のユーザ）を単に閲覧者という。また、図２に示す例では、依頼者端末２、提供者端末３、コンテンツサーバ４、及び閲覧者端末５は、１台のみ示されているが、いずれも複数台存在するものとする。
【００２１】
［管理サーバ１の構成］
管理サーバ１は、記憶部１１と、登録部１２と、データ送受信部１３と、報酬取得部１４と、分配部１５とを備える。
記憶部１１は、例えば、ＲＯＭ、ＲＡＭ及びハードディスク等の記憶媒体である。記憶部１１は、管理サーバ１の制御部（不図示）が実行するプログラムを記憶する。記憶部１１は、例えば、管理サーバ１の制御部を、登録部１２、データ送受信部１３、報酬取得部１４、及び分配部１５として機能させるための管理プログラムを記憶する。
登録部１２、データ送受信部１３、報酬取得部１４、及び分配部１５の機能の詳細については後述する。
【００２２】
［コンテンツサーバ４の構成］
コンテンツサーバ４は、記憶部４１と、登録部４２と、提供部４３とを備える。
記憶部４１は、例えば、ＲＯＭ、ＲＡＭ及びハードディスク等の記憶媒体である。記憶部４１は、コンテンツサーバ４の制御部（不図示）が実行するプログラムを記憶する。記憶部４１は、例えば、コンテンツサーバ４の制御部を、登録部４２及び提供部４３として機能させるための管理プログラムを記憶する。
登録部４２、及び提供部４３の機能の詳細については後述する。
【００２３】
［閲覧者端末５の構成］
閲覧者端末５は、例えば、パーソナルコンピュータやスマートフォンやタブレットであり、入力部５１と、表示部５２と、記憶部５３と、制御部５４とを備える。
入力部５１は、閲覧者端末５がパーソナルコンピュータである場合には、マウスやキーボード等であり、閲覧者端末５がタブレットやスマートフォンである場合には、タッチパネルやボタンである。入力部５１は、閲覧者から操作入力を受け付ける。
表示部５２は、例えば、液晶ディスプレイや有機ＥＬ（Electro-Luminescence）ディスプレイ等である。表示部５２は、例えば、制御部５４の制御に応じて、コンテンツサーバ４から取得したコンテンツページを表示する。
【００２４】
記憶部５３は、例えば、ＲＯＭ、ＲＡＭ及びハードディスク等の記憶媒体である。記憶部５３は、制御部５４が実行するプログラムを記憶する。記憶部５３は、制御部５４を取得部５４１及び実行部５４２として機能させるためのウェブブラウザプログラム（以下、ウェブブラウザという。）を記憶する。なお、本実施形態では、ウェブブラウザが、制御部５４を取得部５４１及び実行部５４２として機能させるものとするが、これに限らず、スマートフォンやタブレット等にインストールされるアプリケーションプログラムが、制御部５４を取得部５４１及び実行部５４２として機能させてもよい。
【００２５】
制御部５４は、例えばＣＰＵやＧＰＵである。制御部５４は、記憶部５３に記憶されている各種プログラムや、通信ネットワークを介して外部機器から取得したプログラムを実行することにより、閲覧者端末５に係る機能を制御する。制御部５４は、取得部５４１と、実行部５４２とを備える。これらの機能の詳細については後述する。
【００２６】
［報酬の分配に係るシーケンス］
続いて、所定の計算の実行に対する報酬の分配に係る処理の流れを説明しながら、管理サーバ１、コンテンツサーバ４、及び閲覧者端末５の各制御部が備える機能について説明する。まず、コンテンツサーバ４がコンテンツページを登録するまでの処理の流れについて説明する。
【００２７】
図３は、本実施形態に係るコンテンツサーバ４がコンテンツページを登録するまでの処理の流れを示すシーケンス図である。
まず、依頼者端末２は、依頼者の操作に応じて、依頼情報を管理サーバ１に送信する。依頼情報には、例えば、実行を依頼する計算内容を示す計算データと、当該計算に対する報酬の額を示す報酬情報とが含まれている。
管理サーバ１の登録部１２は、依頼者端末２から依頼情報を受信すると、当該依頼情報と、依頼を受けた依頼時刻とを関連付けて記憶部１１に記憶させることにより、依頼者情報を登録する（Ｓ１）。
【００２８】
なお、報酬分配システムＳが、報酬額が高い順に計算データを選択する場合、登録部１２が、依頼者端末２に、他の依頼者の報酬情報を提示したり、オークション形式で、複数の依頼者から所定量の計算量当たりの報酬額の入札を受け付けたりしてもよい。このようにすることで、依頼者は、優先的に計算を実行させたい場合に報酬額を高くするので、報酬分配システムＳは、報酬額を高めることができる。
【００２９】
続いて、提供者端末３は、提供者の操作に応じて、報酬分配システムＳが提供するサービスを提供者が利用するためのサービス利用申請情報を送信する。サービス利用申請情報には、例えば、提供者の氏名を示す情報や、提供者が指定したユーザＩＤ等の各種情報が含まれている。
【００３０】
管理サーバ１の登録部１２は、提供者端末３からサービス利用申請情報を受信すると、当該申請情報に含まれている各種情報を記憶部１１に記憶させる（Ｓ２）。
続いて、管理サーバ１の登録部１２は、所定の計算を閲覧者端末５に実行させるためスクリプトを生成し（Ｓ３）、当該スクリプトを提供者端末３に送信する。ここで、スクリプトには、提供者を識別するための識別情報が含まれているものとする。また、識別情報は、例えば、ユーザＩＤを暗号化することにより生成された識別情報等である。
【００３１】
提供者端末３は、提供者の操作に応じて、コンテンツを含むページに、管理サーバ１から受信したスクリプトを埋め込むことにより、コンテンツページを生成する（Ｓ４）。提供者端末３は、提供者の操作に応じて、コンテンツページをコンテンツサーバ４に送信する。
コンテンツサーバ４の登録部４２は、提供者端末３からコンテンツページを受信すると、当該コンテンツページを記憶部４１に記憶させることにより、コンテンツページを登録する（Ｓ５）。
【００３２】
続いて、閲覧者端末５がコンテンツページの取得要求を行ってから、管理サーバ１が所定の計算に係る報酬を分配するまでの処理の流れについて説明する。図４は、本実施形態に係る閲覧者端末５がコンテンツページの取得要求を行ってから、管理サーバ１が所定の計算に係る報酬を分配するまでの処理の流れを示すシーケンス図である。
【００３３】
まず、閲覧者端末５の取得部５４１は、入力部５１を介して閲覧者からコンテンツページのアドレス情報の入力を受け付けると、当該アドレス情報に基づいてコンテンツサーバ４にアクセスする。そして、取得部５４１は、コンテンツサーバ４から、コンテンツと、所定の計算を閲覧者端末５に実行させるためのスクリプトとを含むコンテンツページを取得する。
【００３４】
続いて、実行部５４２は、取得したコンテンツページを表示部５２に表示させる（Ｓ１１）。実行部５４２は、コンテンツページに含まれるスクリプトに基づいて、所定の計算を実行する。具体的には、実行部５４２は、コンテンツページに含まれているスクリプトを実行することにより、管理サーバ１に、計算対象となる計算データの取得要求を送信する（Ｓ１２）。
【００３５】
ここで、スクリプトに基づいて、実行部５４２が、閲覧者端末５において所定の計算の実行を許可するか否かの選択を閲覧者から受け付けるようにしてもよい。そして、実行部５４２は、閲覧者端末５における所定の計算の実行が許可されたことに応じて、管理サーバ１に取得要求を送信してもよい。このようにすることで、所定の計算が実行されることをユーザに認識させることができる。
【００３６】
また、実行部５４２は、所定の計算の実行が許可されなかった場合に、コンテンツの少なくとも一部が表示部５２に表示されないように制限するようにしてもよい。このようにすることで、閲覧者端末５において所定の計算の実行が許可される確率を高めることができる。
【００３７】
管理サーバ１のデータ送受信部１３は、計算データの取得要求を閲覧者端末５から受信すると、記憶部１１に記憶されている計算データを選択し（Ｓ１３）、選択した計算データを当該閲覧者端末５に送信する。
【００３８】
例えば、データ送受信部１３は、記憶部１１に記憶されている計算データと報酬情報とを含む依頼情報と、当該依頼情報に対応する依頼時刻に基づいて、依頼時刻が最も古い依頼情報に対応する計算データを選択する。なお、データ送受信部１３は、依頼情報に含まれる報酬情報に基づいて、計算量に対して最も報酬額が高い計算データを優先的に選択してもよい。
【００３９】
また、データ送受信部１３は、閲覧者端末５の処理能力を特定し、当該処理能力に対応する計算データを選択して、閲覧者端末５に送信するようにしてもよい。例えば、データ送受信部１３は、閲覧者端末５の処理能力を特定するための処理を閲覧者端末５に実行させ、当該処理に掛かる時間に基づいて、閲覧者端末５の処理能力を特定してもよい。そして、データ送受信部１３は、処理能力が低い場合には計算量が少ない計算データを選択し、処理能力が高い場合には計算量が多い計算データを選択してもよい。また、データ送受信部１３は、処理能力が低い場合には、処理能力が高い場合に比べて少量の計算データを選択してもよい。
【００４０】
また、データ送受信部１３は、コンテンツページに含まれるコンテンツの種類に基づいて、計算データを選択するようにしてもよい。例えば、所定の計算を実行させるためのスクリプトに、当該スクリプトが埋め込まれるコンテンツページに含まれているコンテンツの種類を特定するためのコードを含めてもよい。また、閲覧者端末５が、計算データの取得要求にコンテンツの種別を示す種別情報を含めて、管理サーバ１に送信するようにしてもよい。そして、データ送受信部１３は、計算データの取得要求に含まれる種別情報に基づいてコンテンツの種類を特定し、当該コンテンツの種類に基づいて計算データを選択するようにしてもよい。
【００４１】
また、管理サーバ１の登録部１２が、提供者から計算データの種別の選択を受け付けておき、提供者を識別する識別情報と、計算データの種別とを関連付けて記憶部１１に記憶させるようにしてもよい。そして、閲覧者端末５の取得部５４１が、提供者を識別する識別情報を含む計算データの取得要求を管理サーバ１に送信し、管理サーバ１のデータ送受信部１３が、計算データの取得要求に含まれる提供者の識別情報に関連付けられて記憶部１１に記憶されている計算データの種別を特定してもよい。そして、データ送受信部１３が、特定した計算データの種別に基づいて計算データを選択してもよい。
【００４２】
閲覧者端末５の実行部５４２は、管理サーバ１から計算データを受信すると、当該計算データに基づいて所定の計算を実行する（Ｓ１４）。実行部５４２は、所定の計算を実行すると、所定の計算の計算結果を示す計算結果データと、スクリプトに含まれている、コンテンツページに含まれるコンテンツの提供者を識別するための識別情報とを管理サーバ１に送信する。
【００４３】
なお、実行部５４２は、コンテンツページが表示部５２に表示されている場合において、計算結果データを管理サーバ１に送信した後に、再び計算データの取得要求を管理サーバ１に送信して計算データを取得し、当該計算データに基づいて所定の計算を実行するようにしてもよい。このようにすることで、コンテンツの閲覧時間が長ければ長いほど、閲覧者端末５に多くの計算を実行させることができる。
【００４４】
続いて、管理サーバ１の報酬取得部１４は、受信した計算結果データを依頼者端末２に送信し、依頼者端末２から、当該計算結果データに対応する報酬を取得する。
管理サーバ１の分配部１５は、報酬を取得すると、当該報酬に対応する計算結果データとともに閲覧者端末５から受信したコンテンツの提供者の識別情報を特定する。そして、分配部１５は、報酬取得部１４が取得した報酬を当該提供者に分配する報酬分配処理を実行する（Ｓ１５）。例えば、分配部１５は、報酬が通貨である場合には、報酬取得部１４が取得した報酬を、提供者に対応する口座に入金する。
【００４５】
ここで、分配部１５は、報酬取得部１４が取得した報酬の少なくとも一部をサービス利用料として、提供者から徴収するようにしてもよい。また、分配部１５は、報酬取得部１４が取得した報酬の額が予め定められた所定額を超えた場合に、当該報酬を提供者に分配してもよい。また、分配部１５は、報酬を提供者に分配したことを示す通知情報を当該提供者が使用する提供者端末３に送信してもよい。
【００４６】
また、分配部１５は、報酬取得部１４が取得した報酬をコンテンツの提供者と、当該コンテンツの閲覧者に分配してもよい。例えば、分配部１５は、閲覧者端末５から受信した計算結果データの量が所定量を超えたことに応じて、当該計算結果データに対応する報酬を、コンテンツの提供者と、当該コンテンツの閲覧者とに分配してもよい。このようにすることで、報酬分配システムＳは、コンテンツの閲覧者に積極的にコンテンツを視聴させることができる。
【００４７】
［本実施形態における効果］
以上説明した通り、本実施形態に係る報酬分配システムＳは、閲覧者端末５が、コンテンツと、所定の計算を閲覧者端末５に実行させるためのスクリプトとを取得し、当該スクリプトに基づいて所定の計算を実行し、当該所定の計算の計算結果を示す計算結果データを管理サーバ１に送信する。そして、管理サーバ１が、計算結果データに対応する報酬をコンテンツの提供者に分配する。
【００４８】
このようにすることで、報酬分配システムＳは、アフェリエイト広告のように、コンテンツとともに広告を表示させることなくコンテンツの提供者に報酬を与えることができる。したがって、コンテンツの提供者は、コンテンツのユーザ体験を悪化させることなく報酬を得ることができる。また、報酬分配システムＳは、アフェリエイト広告のように閲覧者の個人情報を収集する必要がないので、閲覧者のプライバシーの侵害等が発生しない。よって、閲覧者は、コンテンツとともにアフェリエイト広告が表示される場合に比べて、コンテンツを安心して閲覧することができる。
【００４９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００５０】
例えば、上述の実施形態では、管理サーバ１は、依頼者から依頼情報を受信するものとしたが、これに限らない。例えば、管理サーバ１の管理者が、報酬が付与される計算に対応する計算データと、当該報酬を示す報酬情報とを含む情報を依頼情報として管理サーバ１に記憶させるようにしてもよい。
【００５１】
また、上述の実施形態では、コンテンツとスクリプトとを含むコンテンツページを閲覧者端末５に表示させ、当該スクリプトに基づいて所定の計算を実行させたが、これに限らない。例えば、閲覧者端末５が、各種コンテンツに係るアプリケーションが実行されたことに応じて、コンテンツとスクリプトとを取得し、当該スクリプトに基づいて所定の計算を実行してもよい。
【００５２】
また、上述の実施形態では、管理サーバ１は、計算データを記憶部１１に記憶させておき、閲覧者端末５から計算データの取得要求を受信したことに応じて、記憶部１１に記憶されている計算データを閲覧者端末５に送信したが、これに限らない。例えば、管理サーバ１は、計算データの格納先を示すアドレス情報を記憶部１１に記憶させておき、閲覧者端末５から計算データの取得要求を受信したことに応じて、当該アドレス情報に基づいて計算データを取得し、当該計算データを閲覧者端末５に送信してもよい。また、管理サーバ１は、閲覧者端末５から計算データの取得要求を受信したことに応じて、計算データの格納先を示すアドレス情報を閲覧者端末５に送信し、閲覧者端末５に計算データを取得させるようにしてもよい。
【符号の説明】
【００５３】
１・・・管理サーバ、１１・・・記憶部、１２・・・登録部、１３・・・データ送受信部、１４・・・報酬取得部、１５・・・分配部、２・・・依頼者端末、３・・・提供者端末、４・・・コンテンツサーバ、４１・・・記憶部、４２・・・登録部、４３・・・提供部、５・・・閲覧者端末、５１・・・入力部、５２・・・表示部、５３・・・記憶部、５４・・・制御部、５４１・・・取得部、５４２・・・実行部
【図１】
0006372868.tif 000002
【図２】
0006372868.tif 000003
【図３】
0006372868.tif 000004
【図４】
0006372868.tif 000005